(57)【要約】【課題】噴霧範囲を規制できるように工夫した噴霧器の噴霧範囲を規制する案内筒を、二ツ折り自在とすることによって、案内筒を噴霧器のノズル部構成材に取付けたままの状態で、箱詰めにしたり、輸送するのに支障がない噴霧器を提供しようとするものである。【解決手段】噴霧器のノズルを配したノズル部構成材の外周に、基部に該ノズル部構成材の外周を嵌合する嵌口開口を形成し、先端に所定の大きさ、形状に形成した開口を設けて成る噴霧方向を規整する案内筒を、嵌合開口側と先端開口側とを二ツに折り曲げ自在となし、案内筒の嵌合開口側と先端開口側の適宜個所に係止部を形成し、前記嵌合開口を以て前記の噴霧器のノズルを配したノズル部構成材に着脱自在に取り付けることが出来るようにした障子紙剥し液噴射用噴霧器として構成する。【選択図】　図６
2004097981.tif 000002
【特許請求の範囲】
【請求項１】
噴霧器のノズルを配したノズル部構成材の外周に、基部に該ノズル部構成材の外周を嵌合する嵌合開口を形成し、先端に所定の大きさ、形状に形成した開口を設けて成る噴霧範囲を規整する案内筒を、嵌合開口側と先端開口側とを二ツに折り曲げ自在となし、案内筒の嵌合開口側と先端開口側の適宜個所に係止部を形成し、前記嵌合開口を以て前記噴霧器のノズルを配したノズル部構成材に着脱自在に取り付けることが出来るようにしたことを特徴とした噴霧範囲を規制する噴霧器。
【発明の詳細な説明】
【０００１】
【発明の属する技術分野】
本件発明は、噴霧範囲を規制することができる噴霧器に関するものである。
【０００２】
【従来の技術】
これまでの噴霧器は、噴霧範囲を規制する器具は取り付けられていなかった。従って、噴霧器によって噴霧される霧は噴霧対象物外にも噴霧してしまい、噴霧対象物外の場所や物体の周囲も必要以上に湿らせてしまったり、水分供給をしてしまったりする場合があり、その霧が薬液の噴霧であるときは、その周囲に有害な影響を与えてしまうと言う不都合を生じてしまったり、また、それほどでなくても周囲を薬液によって変色したり、汚したりしてしまうと言う場合があった。
【０００３】
その１例として、これまで、障子の張り替えは、障子に貼られた障子紙を剥がすために、障子枠、並に、障子枠に配された桟に糊付けされた障子紙の上面から、手近にある道具、例えば、一般にスポンジと称されている多孔性の合成樹脂製の伸縮性に富む適宜形状に成形された柔軟材や、雑巾と称して使われている布に水を滲み込ませ、これを以て障子紙を貼り付けた障子枠や桟に沿って障子紙の上から押し当てて、障子紙を貼り付けた障子枠や桟を濡らして、障子紙を障子枠や桟に貼り付けている接着剤の接着力を弱め、障子紙が障子枠や障子の桟から剥がれやすくしてから障子に貼られた障子紙を障子の枠や桟から剥がし取っていた。
【０００４】
前記した障子紙の面から障子枠や桟に水分を供給する作業が大変手間の掛かる作業であることは一般人の知るところである。
【０００５】
本発明者は、前記した従来手段による水分供給作業が大変であるところから、前記した従来手段に代えて障子紙を貼った障子の障子紙の面から市販されている噴霧器を利用して霧を吹き付ける手段を考えた。この手段では、霧を吹き付ける作業を行うに際して十分気をつけていても障子枠からはみ出した周囲にも障子紙の面と同じように散霧することになり、障子紙に霧を吹き付けるため、障子を立て掛けていた壁や家具にも障子紙剥し剤を混入した水を霧として吹き付けることになることを知った。また、その吹き付けは障子面全体に及び、肝心な糊付けをした障子枠、桟に集中する霧の吹き付けができないことを知った。
【０００６】
特に、障子紙の張り替えに使用する液体は、障子紙を障子の枠、桟から剥がし易くするため、剥がし剤を混入した液体を使用するため、障子枠からはみ出して障子枠の周囲に、この液体を散霧するようになったときは、その霧がかかった障子枠の周囲に置かれた物体、例えば壁などはこの剥がし液により変色したり、その他いろいろな不都合を生じることになる。従って、この噴霧は障子面をはみ出して噴霧されないようにする必要がある。
【０００７】
それだけでなく、園芸等においても噴霧器を以て薬液を草花に噴霧する場合がある。この場合でも噴霧する薬液が噴霧対象物体である草花にはなるべくたくさんの薬液を噴霧し、噴霧対象物以外の草花やその周囲にはなるべくその薬液の噴霧を避けなければならない場合がある。
【０００８】
【発明が解決しようとする課題】
本発明は、上記の事情を考慮して噴霧対象箇所、噴霧対象物にはなるべくたくさんの霧を吹き付けられるようにし、噴霧の必要のないそれ以外の周囲にはなるべく霧が吹き付けられないように噴霧範囲を規制できるように工夫した噴霧器を提供しようとして開発したものであり、また、噴霧範囲を規制する案内筒を、二ツ折り自在とすることによって、案内筒を噴霧器のノズル部構成材に取付けたままの状態で、箱詰めにしたり、輸送するのに支障がない噴霧器を提供しようとするものである。
【０００９】
【課題を解決するための手段】
噴霧器のノズルを配したノズル部構成材の外周に、基部に該ノズル部構成材の外周を嵌合する嵌口開口を形成し、先端に所定の大きさ、形状に形成した開口を設けて成る噴霧方向を規整する案内筒を、嵌合開口側と先端開口側とを二ツに折り曲げ自在となし、案内筒の嵌合開口側と先端開口側の適宜個所に係止部を形成し、前記嵌合開口を以て前記の噴霧器のノズルを配したノズル部構成材に着脱自在に取り付けることが出来るようにした障子紙剥し液噴射用噴霧器として構成する。
【００１０】
【実施例】
本発明を構成する噴霧器は、本発明を構成する噴霧器として特に作られたものでなくてもよい。
市販されている噴霧器でよい。
従って、どのような材料を使って作ったものか、或はその型式がどのようなものか問わない。
よって、発明を構成する噴霧器そのものの構成の説明は省略する。
【００１１】
本発明を構成する噴霧器は、一般に使われているハンドタイプの噴霧器を予定している。その噴霧器１のノズルを配したノズル部構成材２の外周に噴霧方向を規整する案内筒３を連結するものである。
【００１２】
前記した噴霧器１のノズル部構成材２の外周に連結する噴霧範囲を規整する案内管３は、図１、図２、並に図３、図４に示すように、その基部を前記した噴霧器１のノズル部構成材２の外周を嵌合する嵌合開口４を基部側にもつもので、その嵌合開口４は、案内筒３の基部を、前記した噴霧器１のノズル部構成材２の外周と同形の口径に形成される。
【００１３】
前記噴霧器１のノズルを配したノズル部構成材２に連結する噴霧範囲を規整する案内筒３は、基部側開口４を前記したノズル部構成材２の外周を嵌合する口径をもって形成されるが、その嵌合開口４に対応する側に前方開口５を形成する。この前方開口５は、噴霧器１から噴霧される霧の吹き付け範囲を規制する役割を果たすもので、噴霧対象箇所、噴霧対象物体に所望の霧が吹き付けられるように考慮して決められる。
従って、障子の紙の貼り替に使用するときは障子の枠、桟に十分な剥がし液を散布することができる口径とし、噴霧範囲を規整する案内筒３の長さは、所望の長さに形成するものである。
また、花草に噴霧するときは、噴霧対象物体である草花の大きさ、配列の仕方を考慮し、それからそれた広い範囲に霧の吹き付けされることがないような口径、長さとするものである。
【００１４】
本発明の噴霧範囲を規制する案内筒３は、図示実施例に示すように二ツ折りに折り曲げ自在として構成される。従って、この案内筒３を使用しないときは図４、図５に示すように折り曲げた状態でこの案内筒３の嵌合開口４を噴霧器１のノズル部構成材２に嵌合した状態としておく。
従って、噴霧器１にこの案内筒３を取り付けたまま箱に収納することもできる。
【００１５】
この折曲げ部をもつ案内筒３は、噴霧器のノズル部構成材２側に配する嵌合開口４側と、前方開口５側は、合成樹脂により両者を一体形成する構成を考えているが、これに限定するものでなく両者を別個に構成し、これを図示実施例図５、図６に示すように回動部品６を介在させて繋いで構成してもよいことは勿論である。
【００１６】
その折曲げの態様は９０°折曲げ型と、１８０°折曲げ型が考えられる。従って、本発明の案内筒３を使用するときは、前方開口側を折り曲げ部で９０°或は１８０°回動して、嵌合開口４側と前方開口５側とを両者に形成された係止部７Ａ、７Ｂで両者を係止し、一本の筒状とした上で使用する。
案内筒３の断面は図示実施例で四角形に形成したものを図示したが、その断面は四角型に限らないことは勿論である。
【００１７】
本発明は、予め図５、６に示すように上記のように構成した噴霧範囲を規整する案内筒３の基部である嵌合開口４側を、噴霧器１のノズルを配したノズル部構成材２の外周に噴霧方向を規整する案内筒３の基部に形成した嵌合開口４を嵌着する。
【００１８】
その使用に際しては、二ツに折り曲げられた先端開口側を曲げ戻して、一体の筒体とする。
【００１９】
障子紙の剥し取り作業を例にとって説明すれば、前記した状態で、噴霧器のタンク部に剥がし液を充填し、その噴霧器１をその噴霧器１の型式に応じた操作方法によって操作を行う。
【００２０】
この操作によって噴霧器１のノズルから剥がし液が噴霧される。
それが霧となって噴霧範囲を規整する案内筒３によって散霧範囲が制約されて噴霧範囲を規整する案内筒３の開口５方向に吹き出される。
従って、障子に貼られた障子紙を剥がし取るときは、障子紙を貼り付けた障子枠、桟に向かって剥がし液の噴霧操作を行う。この操作を行うときは、噴霧器１のノズルから噴射された霧は、案内筒３の開口５によって、障子枠、桟に集中して吹き付けられる。従って、障子紙の面から、上記した操作を行うときは、障子枠、桟に塗られた接着剤を十分に濡らしてその接着力を弱め、障子枠、桟から障子紙を剥がし易くする。
【００２１】
更に、障子枠に剥がし液を吹き付けるときは、上記噴霧方向を規整する案内筒３の開口５より、吹き付けられた霧は、障子枠からはみ出して障子枠の周囲に散布することを極力防止することができる。
この操作により、障子枠の周囲に散布した剥がし液の霧が付着するのを防止し、障子枠の周囲を汚したりすることを防止することができる。
【００２２】
上記した例の外に草花に薬液の霧をなるべく多く吹き付け、噴霧対象草花の周囲にはなるべく霧を吹き付けないようにする作業にも使用できることは勿論である。
【００２３】
本発明にかかる噴霧器は上記の通りに構成されているので、噴霧器を使用しないときは、案内筒を噴霧器のノズル部構成材から取りはずすことができる。
従って、案内筒を噴霧器本体から取りはずして収納するのに差支えはない。
【００２４】
本発明にかかる案内筒は、上記のように構成されているから、使用後には、案内筒の係止を解除して、二ツ折りにして適当な場所に収納するなりして保存する。
【００２５】
【発明の効果】
本発明にかかる噴霧器に取り付ける案内筒は、折り曲げ自在であり、その構造が簡単であり、使用に際して噴霧対象箇所、噴霧対象物体になるべく多くの霧を散布でき、噴霧対象箇所、噴霧対象物体以外の周囲には余分な霧の吹き付けを制限できる。
【図面の簡単な説明】
【図１】噴霧器に連結する噴霧方向を規整する９０°回動型の案内筒を折り曲げた状態の斜視図
【図２】噴霧器に連結する噴霧方向を規整する９０°回動型の案内筒を折り返した状態の斜視図
【図３】噴霧器に連結する噴霧方向を規整する１８０°回動型の案内筒を折り曲げた状態の斜視図
【図４】噴霧器に連結する噴霧方向を規整する１８０°回動型の案内筒を折り返した状態の斜視図
【図５】噴霧器に連結した状態の噴霧方向を規整する９０°回動型の案内筒の断面図
【図６】噴霧器に連結した状態の噴霧方向を規整する１８０°回動型の案内筒の断面図
【符号の説明】
１．　噴霧器
２．　ノズル部構成材
３．　案内筒
４．　嵌合開口
５．　前方開口
６．　回動部品
７Ａ．７Ｂ．　係止部
【図１】
2004097981.tif 000003
【図２】
2004097981.tif 000004
【図３】
2004097981.tif 000005
【図４】
2004097981.tif 000006
【図５】
2004097981.tif 000007
【図６】
2004097981.tif 000008